Podtech/llm-jp-corpus-v4-ja_patent huggingface dataset:
(57)【要約】【課題】    テーブルビート抽出液を短時間低温で減圧濃縮し、空中雑菌が混入しない、長期保存に耐える製品が得られる。【解決手段】  細切りしたテーブルビートに天然水を加えミキサーで泥状にし、自然濾過し、ロータリーエバポレーター、ネオクールサーキュレーター、トラップ、真空計、ダイアフラム型真空ポンプを装置し、温度５０℃から６５℃で、減圧度１８０ｍｍＨｇから２００ｍｍＨｇ、短時間で減圧濃縮することである。【選択図】なし【特許請求の範囲】
【請求項１】
細切したテーブルビートに約３０％の天然水を加えて、ミキサーで泥状にし、木綿布を用いて自然濾過し、紫紅色透明液を得ると。
【請求項２】
請求項１で得られた紫紅色透明液をロータリーエボポレーターに入れ、これを冷却水循環装置に接続し、更に真空計とダイアフラム型真空ポンプを装置し、低温で減圧濃縮すること。
【請求項３】
請求項２の製造条件としては、水浴温度は５０℃から５５℃で減圧度は２００ｍｍＨｇから２５０ｍｍＨｇで初期量の約半量迄濃縮し、比重１．１５から１．２０の低粘稠液を得る。この中間体は減圧濃縮の為、無菌状態となり３ヶ月以上の冷蔵保存に耐えること。
【請求項４】
請求項３の中間体より目的のテーブルビートエキスを得るには水浴温度を６０℃から６５℃で、減圧度は１８０ｍｍＨｇから２００ｍｍＨｇで濃縮して、比重１．３０から１．４０の濃紫紅色透明で高粘度の目的物を得ること。
【請求項５】
請求項４で得られたテーブルビートエキスは従来法で得たエキスより、濃紫紅色透明で、長期保存に耐える利点があること。
【発明の詳細な説明】
【発明の詳細な説明】
【技術分野】
【０００１】    本発明は、テーブルビート抽出液を短時間低温で減圧濃縮、製造方法に関する。
【背景技術】
【０００２】    従来のエキスは、常圧、直火で濃縮する為、テーブルビート特有の濃紅色が失はれ濃褐色で特異臭があり長期保存に耐えない欠点がある。
【発明が解決しようとする課題】
【０００３】    従来の製造方法はテーブルビートを細切しミキサーで泥状にして圧縮濾過し、濾液を常圧、直火で濃縮する為、濃縮途中に発泡し灰汁が析出しこれを除去しながら濃縮する為、長時間を要し、空中雑菌等が混入し、酸化が進みテーブルビート特有の濃紅色が失はれ濃褐色粘稠物となり長期保存に耐えない、という問題点があった。
【０００４】    本発明は、テーブルビートを細切りにし、３０％天然水を加えミキサーで泥状にして木綿布を用いて自然濾過し、得られた紅色透明液をロータリーエバポレーターで低温度５０℃から６５℃、減圧度１８０ｍｍＨｇから２００ｍｍＨｇで短時間で減圧濃縮することである。
【実施例】
【０００５】    テーブルビート１０００ｇを細切りしたものに３００ｍｌの天然水を加える。この天然水を加えることによりテーブルビート成分の抽出を容易にすることが出来る為であり、これをミキサーで泥状にし、木綿布製の袋に入れ上部を閉じ、スタンドに吊るし自然濾過し、淡紅色透明液、比重１．０５〜１．０７、１０００ｍｌを得る。この抽出液を２０００ｍｌのナス型コルベンに入れ、ロータリーエバポレーターに接続する。ロータリーエバポレーターの冷却器にはネオクールサーキュレーターを接続し冷却水を循環させ、ロータリーエバポレーターの吸引部には、トラップ、真空計、ダイアフラム型真空ポンプの順に各機器を装置し減圧濃縮する。減圧濃縮の条件としては、ネオクールサーキュレーターの水温は１０℃に設定し、ロータリーエバポレーターの水浴温度は初め５０℃に設定し、水分の留出を見ながら徐々に温度を上げ５５℃とし、減圧度は初め２５０ｍｍＨｇで２００ｍｍＨｇまで調整し、３０分で３５０ｍｌから４００ｍｌの水を回収し、比重１．１５から１．２０の低粘稠紅色透明液５５０ｍｌから６００ｍｌを得る。この濃宿液は変質せず長期冷蔵保存に耐える為中間体とし、第２原料とする。これを更に濃縮するために、比重１．１７の紅色透明液６００ｍｌを水浴温度を６０℃から６５℃で、減圧度を１８０ｍｍＨｇまで圧力を下げ濃縮を続けると、約４０分から４５分で高粘度濃紅色透明液、比重１．４０のテーブルビートエキス４５０ｇが得られた。
【発明の効果】
【０００６】    従来法ではテーブルビートを圧縮濾過する為、渥が出て発泡、灰汁の析出が多く変色の原因となり、常圧濃縮の為、空中雑菌が混入し、濃縮に長時間を有し濃褐色で混濁し透明な製品には得られず長期保存に耐えない。本発明は初期に水を加えて抽出する為、抽出効果が大きく、成分確保が出来、抽出液は自然濾過することにより透明な液が得られる利点がある。又、比重測定により製品が一定化し産地等によるばらつきがない。
(57)【要約】【課題】  超純水、或は炭酸泉、香料などを含む、自分に好みの液をスチーム化して利用できなかった。【解決手段】加熱、加湿機能を有する本体３と、その一端に、ヘッドの表面に取り付けたブラシ２２と、蒸気などを通す複数のスチーム穴２３を備えたヘッド２を備え、他端に、アタッチメント４を備え、アタットメント４は、小型カップ５を装填するため、蓋４１をつけたコップ状で、本体側には、小型カップを破るための突起４２を備え、蓋４１をあけて、超純水、炭酸泉、香料などの液をいれた小型カップ５をアタッチメントに装填したときに、突起が小型カップを破り、流れ出した液体を本体３に導かれて加熱、加湿されヘッドからスチームとして噴射されるようにしたことを特徴とするヘアドライヤー。【選択図】  図1
2016054750.tif 000002
【特許請求の範囲】
【請求項１】
加熱、加湿機能を有する本体３と、その一端に、ヘッドの表面に取り付けたブラシ２２と、蒸気などを通す複数のスチーム穴２３を備えたヘッド２を備え、他端に、アタッチメント４を備え、アタットメント４は、小型カップ５を装填するため、蓋４１をつけたコップ状で、本体側には、小型カップを破るための突起４２を備え、蓋４１をあけて、超純水、炭酸泉、香料などの液体をいれた小型カップ５をアタッチメントに装填したときに、突起が小型カップを破り、流れ出した液体を本体３に導かれて加熱、加湿されヘッドからスチームとして噴射されるようにしたことを特徴とするヘアドライヤー。
【請求項２】
アタッチメント４を取り外し可能にしたことを特徴とする請求項１記載のヘアドライヤー。
【発明の詳細な説明】
【技術分野】
【０００１】
本発明は、髪を綺麗にする一般家庭用のヘアドライヤーに関する。
【背景技術】
【０００２】
従来の家庭用のヘアドライヤーには、マイナスイオンが出てキューティクルを静電気の効果で髪のパサつきを抑えられる策を施した物がある
【０００３】
髪にマイナスイオンを吹き付けることによって、髪の毛の静電気を減少させ、まとまりやすくしているマイナスイオンドライヤーもある。
【先行技術文献】
【特許文献】
【０００４】
【特許文献１】特開２００４−２２２７４５公報
【発明の概要】
【発明が解決しようとする課題】
【０００５】
従来にヘアドライヤーは、超純水、炭酸泉、香料などを含む、自分の好みの液体をスチームにして利用できなかった。
【課題を解決するための手段】
【０００６】
加熱、加湿機能を有する本体３と、その一端に、ヘッドの表面に取り付けたブラシ２２と、蒸気などを通す複数のスチーム穴２３を備えたヘッド２を備え、他端に、アタッチメント４を備え、アタットメント４は、小型カップ５を装填するため、蓋４１をつけたコップ状で、本体側には、小型カップを破るための突起４２を備え、蓋４１をあけて、超純水、炭酸泉、香料などの液をいれた小型カップ５をアタッチメントに装填したときに、突起が小型カップを破り、流れ出した液体を本体３に導かれて加熱、加湿されヘッドからスチームとして噴射されるようにしたことを特徴とするヘアドライヤー。
【０００７】
アタッチメント４を取り外し可能にしたことを特徴とするヘアドライヤー。
【発明の効果】
【０００８】
超純水、炭酸泉、香料などを含む、自分に好みの液を、簡単に交換してスチームとして利用できる。適切な温度（５０℃）、湿度で保湿効果がありキューティクルや髪の毛皮質に浸透し血流を良くし髪質改善につながる。
【図面の簡単な説明】
【０００９】
【図１】本発明のヘアドライヤーの構成
【図２】本発明の小型カップのアタッチメントへの取付方法    （ａ）小型カップ装填前、（ｂ）小型カップ装填後
【発明を実施するための形態】
【００１０】
図１は、本発明のヘアドライヤーの構成を示す。
【００１１】
本発明のヘアドライヤー１は、図１に示すように、加熱・加湿などを行う本体３と、その本体３の一端に接続されたヘッド２と、本体３の他端に接続されたアタッチメント４からなる。ヘッド２は、ヘッドの本体２１と、ヘッドの表面に取り付けたブラシ２２と、同じくヘッドの表面に、スチームを通す複数のスチーム穴２３からなる。アタッチメント４は、本体３と一体であってもよいが、以下の実施例では、取り外し可能な場合を示す。
【００１２】
本体３には、スチーム化手段（送風手段、加熱手段、加湿手段などからなる：図示せず）とアタッチメント４と接続するためのアタットメント接続部３２を備える。その他、電源、電源のスイッチ３１などを備える。
【００１３】
本体のアッチメント接続部は、本体３とアタットメントをネジ、または、ワンタッチで勘合させて接続する。アタッチメント接続部には、アタッチメントの小型パックが破れて、流れ出たアタッチメントからの液体が、本体の加熱手段と加湿手段に導かれるように、導入穴３２１を備える。
【００１４】
ヘッド２はヘッドの本体２１と、ヘッドの表面に取り付けたブラシ２２と、スチームを通す複数のスチーム穴２３からなる。ヘッド２は、本体３と一体でもよいし、取り外し可能でもよい。
【００１５】
アタットメント４は、蓋４１を備えたコップで、蓋４１をあけて、炭酸泉などの液体をいれた小型パックを装填できる。蓋４１とは異なる側は、小型パックを破るための突起４２を備える。蓋をあけて小型パックをアタットメントに装填すると、突起４２が突き刺さり、小型パックが破れて炭酸泉などの液体が流れでる。その液体は本体３の導入穴３２１に導くための導入穴４３を備える。
本体３に、導入穴３２１を備えたアタッチメント接続部３２と、アタッチメント４に導入穴４３を設け、アタッチメントを本体に接続したときに、導入穴３２１と導入穴４３が連通し、小型カップからの液体を本体３に導き、アタッチメントを取り外し可能にしている。本体３とアタッチメント４が一体の場合スチーム化手段に液体を導くための導入穴を設ける。
【００１６】
図２は、本発明の小型カップのアタッチメントへの取り付け方法を示す。（ａ）小型カップを装填する前、（ｂ）は小型パックを装填した後である。
図２に示すように、まず、本体３にアタッチメントを取り付け、その状態で、小型パックをアタットメントの蓋４１をあけて装填し、蓋をしめる。蓋を閉めると、突起４２が装填した小型パック５にあたり、液体が小型パックから流れでる。その液は、アタットメント４に設けた導入穴４３と、本体３のアタットメント接続部の導入穴３２１を通って、液体をスチームにするスチーム化手段に導かれる。
【００１７】
次に、本発明のヘアドライヤーの使い方を示す。最初に、アタッチメントを本体３に取り付ける。アタッチメントの蓋を開いて、炭酸泉などの液体がはいった小型カップを押し入れる。小型パックが破れて、中にはいっている超純水、炭酸泉、香料などの液体が本体のスチーム化手段に導かれ、加温、加湿されて、ヘッドのスチーム穴から噴出する。
【符号の説明】
【００１８】
１  ヘアドライヤー
２  ヘッド
２１  本体
２２  ブラシ
２３  スチーム穴
３  本体
３１  スイッチ
３２  アタッチメント接続部
３２１  導入穴
４  アタッチメント
４１  蓋
４２  突起
４３  導入穴
５  小型カップ
【図１】
2016054750.tif 000003
【図２】
2016054750.tif 000004
(57)【要約】【課題】本発明はタッチパネルを操作することができる指サックであり、細かな操作感を得ることと、触り心地の良さと見た目の良さを改善することを可能とする。【解決手段】指先にタッチパネル操作のための突起部分を設けることにより、細かな操作感を得ることができ、素材を導電性のシリコーンゴムとすることにより触り心地の良さと見た目の良さを改善し、外観形状を人物や動物、植物、乗り物などの可愛らしいデザインにすることにより、見た目の良さと装着している時の楽しい気分に貢献する。【選択図】図１
2016054978.tif 000002
【特許請求の範囲】
【請求項１】
指先にタッチパネル操作のための突起部分を設けることにより、細かな操作感を得ることができ、素材に導電性のシリコーンゴムを使用し、外観形状を人物や動物、植物、乗り物などの可愛らしいデザインにすることにより、見た目の良さと装着している時の楽しい気分に貢献できることを特徴とするタッチパネル用指サック。
【発明の詳細な説明】
【技術分野】
【０００１】
本発明は、タッチパネル機器を操作できるタッチパネル用指サックに関するものである。
【背景技術】
【０００２】
従来のタッチパネル用の指サックは、先部が超極細繊維のアクリル製の素材や、導電性繊維を用いたもので構成され、単純なスリーブ形状なのでタッチパネル操作感は使用者の指のサイズに影響され、細かい操作感を得ることは困難であるという欠点があった。
【０００３】
さらに従来の導電性繊維の指サックは、軍手のような見た目に悪さもあった。
【０００４】
タッチパネル用の指サックの見た目の悪さを解消すべく、指人形型のタッチパネル用指サックもあるが、タッチパネル操作のための突起部分はなく、いずれも素材が導電性繊維なので見た目の悪さを解消できないという問題があった。
【０００５】
この改善策として、指サックの指先のタッチパネル操作時に使用する指先部分にタッチパネル操作のための突起部分を設け、タッチパネルの操作感を向上させることができる。そして素材を導電性のシリコーンゴムとすることにより、シリコーンゴム特有の触り心地の良さや見た目の良さを実現することができる。また形状を人物や動物、植物、乗り物などの可愛らしいデザインにすることにより、見た目の良さと装着している時の楽しい気分に貢献することができるものとする。
【先行技術文献】
【特許文献】
【０００６】
【特許文献１】特開２０１３−２３０３３４号公報
【特許文献２】実用新案登録第３１７２０６０号公報
【非特許文献】
【０００７】
【非特許文献１】株式会社スギタ  商品名「ＹＵＢＩＳＡＫＩ」  http://www.yubi-saki.com/lineup.html
【発明の概要】
【発明が解決しようとする課題】
【０００８】
解決しようとする問題点は、従来のタッチパネル用の指サックは単純なスリーブ形状で細かな操作感を得ることができなかった。さらに導電性繊維の見た目の悪さと装着時の楽しい気分に貢献できないという点である。
【課題を解決するための手段】
【０００９】
本発明は、タッチパネル用指サックの指先部分にタッチパネル操作のための突起部分を設けること。そして素材を導電性のシリコーンゴムにすること、さらに形状を可愛らしいデザインにすることを主要な特徴とする。
【発明の効果】
【００１０】
本発明のタッチペン用指サックは、指先にタッチパネル操作のための突起部分を設け、細かな操作感を得ることができる。またシリコーンゴム特有の触り心地の良さや見た目の良さという利点があり、使っていて楽しい気分に貢献できるという利点がある。
【図面の簡単な説明】
【００１１】
【図１】図１は外観形状の説明図である。
【図２】図２は指に装着したときの状態を示した説明図である。（実施例1）
【発明を実施するための形態】
【００１２】
指先のタッチパネル操作のための突起部分によって、細かな操作感を得ることができ、素材を導電性のシリコーンゴムとし、外観形状を可愛らしいデザインにして、装着時に快適な操作感と使っていて楽しい気分に貢献できる。
【実施例１】
【００１３】
図２は、本発明の１実施例であって、使用者が指人形遊びをしているかのような楽しい気分に貢献できる。
【産業上の利用可能性】
【００１４】
本発明はタッチパネル利用者が、楽しく快適にタッチパネル操作できる電子機器産業で利用される。
【符号の説明】
【００１５】
１    外観形状
２    タッチパネル操作のための突起部分
３    指
【図１】
2016054978.tif 000003
【図２】
2016054978.tif 000004
(57)【要約】【課題】  ソーラーパネルのコストダウンと利便性の向上を同時に行いマーケットを拡大できること。【解決手段】  ウエハをカットしないで、パネルにする。【選択図】    図２
2016054178.tif 000002
【特許請求の範囲】
【請求項１】
ソーラーパネルを構成するセル素子がウエハのままの円形の状態であって、
切断せずに、組み合わされ、その丸いウエハ間の空白部分から日光を通過させ得ることを得ることを特徴とするソーラーシステム。
【発明の詳細な説明】
【技術分野】
【０００１】
本発明はソーラーパネルの製造法に関する。
【背景技術】
【０００２】
公知のソーラーパネルは、ディスク状のものをほぼ四角形にカットし、つなぎ合わせたものである。この方法では、コストダウンが行き詰まり、もはやこれ以上下がらない。
【０００３】
図１はこのような光電変換素子作成の工程を示す図である。１は光電変換素子がくまなく配置されたウエハである。この光電変換素子としては、例えば単結晶シリコン，多結晶シリコン，アモルファスシリコン等が用いられる。
【０００４】
（ａ）に示すウエハは、（ｂ）に示すように所定の大きさの矩形２に切り取られる。ウエハ１から矩形の光電変換部２が切り取られた残りの部分（ハッチング領域）は廃棄処分される。最終的には、（ｃ）に示す矩形のユニットを集合させて矩形パネル３を製作する。３ａは光電変換ユニットを構成する１つ一つの光電変換素子である。
【発明の概要】
【発明が解決しようとする課題】
【０００５】
上述した公知のソーラーパネルでは、ウエハに無駄を生じ、カットのコストもかかり、しかも太陽光を透過することができないため、ソーラーパネルの有効利用が限定される。コストダウン競争ではもはやこれ以上下げることができない。
本発明はこのような課題に鑑みてなされたものであって、ソーラーパネルを合理的にこれ以上ローコストにし、且つ同時に利用範囲を拡げられないので、マーケットが拡がるソーラーパネルを提供することを目的としている。
【課題を解決するための手段】
【０００６】
本発明は、ウエハをそのまま光電変換ユニットとして使用する。つまり、図２に示すようにウエハ１をそのまま敷き詰めてそのままソーラーパネルとした。この結果、カットのコストが不要となり、またパネル面でソーラーパネル内の納期早め製造のコストダウンと利便性の向上を同時に行える。また、ウエハをカットしないので、その分、大きなコストダウンができる。この結果、透明な領域５が形成される。図では１個しかハッチング領域５を示していないが、他の領域も全く同一である。
ソーラーパネル内納期早め製造のコストダウンと利便性の向上を同時に行える。ウエハをカットしないのみならず、その分大きなコストダウンができる。
【発明の効果】
【０００７】
ソーラーパネルに照射した日光の一部９は透明領域５を突きぬけて、図３の９に示すようにソーラーパネルを突き抜ける。１は光電変換素子部分である。縦と天窓が図４に示すように縦窓に使用でき、発電と採光が同時にできる。また図５に示すように屋根に設ければ、図３に示すようにソーラーパネルの裏側でこの透過した日光を利用して温水化、野菜の栽培等を行うことができ、ソーラーパネル加工がローコストで製造でき、製造時間も短縮できる上、ソーラーパネルの有効利用を図ることができる。
【図面の簡単な説明】
【０００８】
【図１】公知のソーラーパネルの作成工程の説明図。
【図２】本発明の実施例１である。
【図３】本発明ソーラーパネルの効果で説明図で天窓として日光がソーラーパネルを通過する様子を示す本発明実施例２である。
【図４】本発明の実施例２を示す窓。
【図５】本発明の実施例３を示す屋根。
【図６】本発明の実施例４を示す温室。
【図７】公知のソーラーパネルの横断面図。
【図８】本発明実施例５を示す図。
【図９】本発明の実施例６を示す図。
【発明を実施するための形態】
【０００９】
以下、図面を参照してその他の本発明の実施例を詳細に説明する。図５は本発明の実施例３の説明図である。ソーラーパネル４の下には水を循環させるための部分７が配置されている。ソーラーパネル４には、図２の５に示すような透明部が開けられている。
ソーラーパネル４の下へ流入された水８はパネル下７を通過する間に熱せられて温水になる。なお、光電素子１は冷やされると光電変換特性が向上することが知られているので、一石二鳥を得ることができる。加熱により温水となった水は※ダクト１０を介して下向きに流れ貯留槽１１に溜める。この貯留槽１１に溜め込んだ温水は、例えば床暖房や、キッチン用の温水として用いることができる。
【００１０】
図６は本発明の実施例４の説明図である。図１と同一のものは、同一の符号を付して示す。図において、１２は地面である。この地面１２には野菜１３が栽培されている。この野菜面には、ソーラーパネル１の透明部５を通過した日光９が入射される。日光が十分でない状況下でも十分に生育できる野菜は存在するので、ソーラーパネルの発電の収益と採光による野菜の収益が加算される。
【００１１】
また、ソーラーパネルの下にＬＥＤ１４を設け、ソーラーパネル４の発電と発光させれば、発電が促進される。また、日光が十分でない状況下でも十分に生育できる野菜は存在するので、これら野菜を栽培することができる。この種の野菜としては、例えばアスパラガス，イチゴ，ウド，エンドウ，ホウレンソウ等が適当である。
図７は公知のソーラーパネルの横断面を示し、表面がガラス１５、カットされた光電ウエハ３ａ、バックシート１６、枠１８からなる。
【００１２】
図８は本発明ソーラーパネルの実施例５の横断面を示し、透明ガラスのバック
板の上に円形光電ウエハ１を載せたものであり、光を通し、バックシート１６もなく、枠１８もないので、ローコストで製造も速く、且つ軽量であるので、屋根に載せるのに適している。前記透明ガラスバック板１９は、ポリカーボネートであれば軽量化できる。
【００１３】
図９は本発明ソーラーパネルの実施例６の横断面図で、表面ガラス１５の下に円形光電ウエハ１を設け、その下に透明なバックシート透明バックシート１７を設けて光を透過させる構造にしたものである。
【符号の説明】
【００１４】
１    ウエハ
２    矩形
３    光電変換ユニット
３ａ  光電変換素子
４    ソーラーパネル
５  ソーラーパネル透明部
６  縦ダクト
７  パネル裏水流部
８  水
９  透過光
１０  縦ダクト
１１  貯留槽
１２  野菜
1３  地面
１４  ＬＥＤ
１５  公知パネル表面ガラス
１６  公知パネルバックシート
１７  本発明透明ハックシート
１５  ソーラーユニット
１８  ソーラーパネル枠
１９  本発明透明ガラスのベースプレート
１７  ダクト
１８  水
１９  貯留槽
２０  地面
２１  野菜
【図１】
2016054178.tif 000003
【図２】
2016054178.tif 000004
【図３】
2016054178.tif 000005
【図４】
2016054178.tif 000006
【図５】
2016054178.tif 000007
【図６】
2016054178.tif 000008
【図７】
2016054178.tif 000009
【図８】
2016054178.tif 000010
【図９】
2016054178.tif 000011
(57)【要約】【課題】従来、カードエッジコネクタ、プリント基板側の接触電極部における構造には、凹状の溝や貫通穴等を設けたものが考案されていたが、それらには専用の端子を備えた雌コネクタが必要とされていたり、また接続部分が正しい面接触ではなかった。【解決手段】本発明は、カードエッジコネクタ、プリント基板側の電極部において、四角形の凹みと電極の加工を行ない、この凹み部分と端子間とを面接触させる構造として、コネクタ挿入時のクリック感と、抜け防止効果と、隣り合うピン間の誤接触予防と、良好な接触を実現した。【選択図】図１
2016054135.tif 000002
【特許請求の範囲】
【請求項１】
カードエッジコネクタにおいて、コネクタ挿入時のクリック感を得る為に、プリント基板側電極部に、四角形の凹みと電極の加工を行ない、雄コネクタを挿入する際に、雌側端子を、この凹みの電極部に落とし込んで、クリック感を実現させることを特徴とした、カードエッジコネクタ構造。
【請求項２】
カードエッジコネクタにおいて、抜け防止の為、雌側コネクタ端子の電極先端が、プリント基板側の凹み加工した電極に、落とし込まれる構造としたことを特徴とした、カードエッジコネクタ構造。
【請求項３】
カードエッジコネクタの挿入時に、隣り合うピン間の誤接触を防止する為、雌側コネクタ端子の電極先端を、プリント基板側の凹み加工した電極へ、落とし込む構造を特徴とした、カードエッジコネクタ構造。
【請求項４】
カードエッジコネクタの挿入時に、雌側コネクタの端子の電極の中心位置を、プリント基板側の凹み加工した電極中心位置に一致させ、それらの電極部分を正しく面接触させことを特徴とした、カードエッジコネクタ構造。
【発明の詳細な説明】
【技術分野】
【０００１】本発明は、カードエッジコネクタ、プリント基板側の接触電極部における構造に関するものである。
【背景技術】
【０００２】従来、この種のカードエッジコネクタ、プリント基板側の接触電極部における構造としては、図４に示すものが知られている。【０００３】また、カードエッジコネクタの端子と対向し接続する、プリント基板側の電極部に、凹状の溝や貫通穴を設けたものがあった。
【先行技術文献】
【特許文献】
【０００４】
【特許文献１】特開昭５１−１２５８７２
【特許文献２】特開２００８−３１１０１３
【特許文献２】特開２０１４−１５４３９４
【発明の概要】
【発明が解決しようとする課題】
【０００５】従来の技術には次のような欠点があった。
（イ）図４に示す従来構造のカードエッジコネクタは、端子と、プリント基板の電極部の構造とにより、コネクタ挿入時のクリック感が無かった。
（ロ）また、図４に示すカードエッジコネクタは、振動等によりコネクタ抜けが発生し易かった。
（ハ）また、図４に示すカードエッジコネクタは、隣り合うピン間で、誤接触が発生することがあった。
（ニ）図５に示すプリント基板側の電極部に貫通穴を設けたものは、本来の接触端子部分以外との接触により、良好な接触が得られない。
本発明は、上記課題を解決するためになされたものである。
【課題を解決するための手段】
【０００６】（イ）カードエッジコネクタにおいて、コネクタ挿入時のクリック感を得る為に、プリント基板側電極部に、四角形の凹みと電極の加工を行ない、雄コネクタを挿入する際に、雌側端子を、この凹みの電極部に落とし込んで、クリック感を実現させる。
（ロ）カードエッジコネクタにおいて、抜け防止の為、雌側コネクタ端子の電極先端が、プリント基板側の凹み加工した電極に、落とし込まれる構造とする。
（ハ）カードエッジコネクタの挿入時に、隣り合うピン間の誤接触を防止する為、雌側コネクタ端子の電極先端を、プリント基板側の凹み加工した電極へ、落とし込む構造とする。
（二）カードエッジコネクタの挿入時に、雌側コネクタの端子の電極の中心位置を、プリント基板側の凹み加工した電極中心位置に一致させ、それらの電極部分を正しく面接触させる。
【発明の効果】
【０００７】（イ）コネクタ挿入時のクリック感が実現できる。
（ロ）コネクタの抜け防止効果がある。
（ハ）隣り合うピン間の誤接触が防止できる。
（二）雌コネクタと雄コネクタの電極が、正しい面接触構造となる。
【図面の簡単な説明】
【０００８】
【図１】本発明品の一実施例を示す説明図である。
【図２】上記本発明品の一実施例のＡ−Ａ’断面図である。
【図３】上記本発明品の端子が接触した状態の説明図である。
【図４】従来構造のカードエッジコネクタの断面図である。
【図５】従来構造のプリント基板に穴をあけたタイプのカードエッジコネクタの断面図である。
【符号の説明】
【０００９】１・・・プリント基板
２・・・導体
３・・・四角形の凹み加工した導体
４・・・端子
５・・・ハウジング
【図１】
2016054135.tif 000003
【図２】
2016054135.tif 000004
【図３】
2016054135.tif 000005
【図４】
2016054135.tif 000006
【図５】
2016054135.tif 000007
(57)【要約】【課題】被誘導者に目的地までの経路を指示する際に、被誘導者の視覚や聴覚に頼った誘導が困難な場合にも確実に経路を伝達するため、手指等の触感によって経路方向を指示する経路誘導装置を提供する。【解決手段】手指等を動かす方向によって触感の異なる素材（以下、異方性表面素材）を壁や手すりなどの表面に目的地まで連ねて設置する。このとき異方性表面素材は経路方向に手指を動かして触れた場合に所定の触感が得られるように設置する。被誘導者は本発明の設置箇所に触れながら、所定の触感の得られる方向に移動することにより目的地へと到達する。【選択図】図1
2016054881.tif 000002
【特許請求の範囲】
【請求項１】
手指等で触れた際の触感が、手指等を動かす方向によって異なる素材を壁や手すりなどの表面に設置することにより、経路方向を知らせることを特徴とする経路誘導装置。
【発明の詳細な説明】
【技術分野】
【０００１】
この発明は、視覚や聴覚に頼った誘導が困難な場合でも、確実に被誘導者を目的地に導くため、壁や手すりなどの触感の違いによって経路方向を指示する経路誘導装置に関するものである。
【背景技術】
【０００２】
従来から、ビルの屋内外には、目的地への経路を指示する経路誘導装置として、文字や図形で経路を示す誘導標識や誘導灯、音声で経路を示す音声スピーカーが設置されている。
【０００３】
これらは被誘導者の視覚や聴覚を介して経路を指示する経路誘導装置である。また、屋外や駅構内、地下街等においては、主に視覚障害者に対する経路誘導装置として点字ブロックが設置されている。
【発明の概要】
【発明が解決しようとする課題】
【０００４】
これらは次のような欠点があった。
【０００５】
誘導標識や誘導灯は、被誘導者が視覚に関する身体的障害を有する場合や、煙や暗闇によって視覚による誘導が困難な場合には、経路を的確に伝えることが難しく、困ることが多かった。
【０００６】
音声スピーカーによる誘導は、被誘導者が聴覚に身体的障害を有する場合や、設置場所が音を反響しやすい場合、火災などの騒音がある場合には、経路を的確に伝えることが難しく、困ることが多かった。
【０００７】
点字ブロックは訓練を受けた人々、特に視覚障害者の誘導に主眼の置かれた誘導装置であり、訓練を受けていない健常者が足裏の感覚だけで誘導方向を判読することは難しかった。
【０００８】
本発明は、以上のような欠点をなくすためになされたものであり、その目的は災害時を含む様々な状況下でも、人々を確実に目的地に誘導できる経路誘導装置を提供することにある。
【課題を解決するための手段】
【０００９】
この目的を達成するための本発明の要旨は、手指等で触れた際の触感が、手指等を動かす方向によって異なる素材を壁や手すりなどの表面に設置することにより、経路方向を知らせることを特徴とする経路誘導装置にある。
【００１０】
ここで手指等を動かす方向によって触感の異なる素材とは、素材に触れた手指等を指示方向に沿って動かした場合の触感と、指示方向以外の方向に沿って動かした場合の触感が大きく異なる素材をいう。以下では、表面形状がこのような特徴を有する素材を異方性表面素材と呼称する。
【００１１】
また、ここでの触感とは、ツルツル感、すべすべ感、ザラザラ感、摩擦抵抗感、凹凸感といった手指等の皮膚に感じる感覚を指す。
【発明の効果】
【００１２】
（イ）   既存の視覚や聴覚による経路誘導装置は、被誘導者が視覚や聴覚に身体的障害を有する場合には経路の伝達が困難であったが、本発明では被誘導者が視覚や聴覚に障害を有する場合でも誘導することが可能である。
【００１３】
（ロ）   誘導標識や誘導灯などの視覚による経路誘導装置は、停電や夜間の暗闇、火災による煙の充満によって視界が遮られている状況下では経路の伝達が困難な場合があったが、本発明ではそのような状況下でも誘導することができる。
【００１４】
（ハ）   音声スピーカーからの音声による経路誘導装置は、騒音や音の反響によって音声が聞き取りづらい状況下では経路の伝達が困難であったが、本発明ではそのような状況下でも誘導することができる。
【００１５】
（ニ）   点字ブロックによる経路指示は、特に視覚障害者の誘導に主眼の置かれた誘導装置であり、訓練を受けていない健常者が足裏の感覚だけで経路を判読することは困難であったが、本発明では容易に経路の判読が可能であり、被誘導者に対する事前の訓練や教育の必要性は小さい。    
【発明を実施するための形態】
【００１６】
以下、本発明を実施するための形態について説明する。
【００１７】
建物の居室や廊下の壁・柱、およびこれらに付属する手すり・幅木・腰壁の表面の全体あるいは一部を覆うように異方性表面素材を設置する。
【００１８】
異方性表面素材の設置に際しては、経路に沿って進行方向に向かって手指等を動かした時に所定の触感が得られ、それ以外の方向に手指等を動かした時には異なる触感となる向きに設置する。
【００１９】
異方性表面素材は、扉や窓などにより設置できない場合を除いて、目的地まで連ねて設置する。
【００２０】
本発明は、以上のような構造である。
【００２１】
本発明を使用するときは、まず本発明の設置された箇所を手指等で触れて左右に動かし、触感の違いから経路方向を判読する。以後は、手指等で本発明に触れながら経路方向に沿って目的地まで移動する。経路から外れると触感が変化するため、経路を間違わずに辿ることができる。
【実施例】
【００２２】
以下、本発明の実施例としてビル廊下部における避難誘導に用いる場合を添付図面に基づき説明する。
【００２３】
図1に示すように、異方性表面素材を廊下の壁に帯状に連続的に設置する。
【００２４】
図2に示すように、異方性表面素材は避難方向になぞると滑らかな触感となる向き設置する。
【００２５】
異方性表面素材として、図3に示す微細な凹凸を有する素材を用いる。この素材に触れた手指を図の右から左の向きに動かした際の触感は、その反対向きに動かした際と比べて明らかに滑らかであるため、被誘導者は本発明に手指で触れて、左右に動かすことで避難方向を判読することができる。
【図面の簡単な説明】
【００２６】
【図１】実施例を示す斜視図である。
【図２】実施例を示す平面図である。
【図３】実施例を示す異方性表面素材の経路方向における断面拡大図である。
【符号の説明】
【００２７】
1      異方性表面素材
2      被誘導者
3      壁
4      床
5      避難口
6      手指を動かす方向
7      避難方向
8      滑らかな触感の方向
9      粗い触感の方向
【図１】
2016054881.tif 000003
【図２】
2016054881.tif 000004
【図３】
2016054881.tif 000005